(57)【要約】      （修正有）【課題】地震等で目地部が狭くなると目地プレートの後端部の上部を支点に回動し、目地部が更に狭くなると目地プレートの後端部を目地プレートの重量バランスで自動的に上昇させて目地プレートの先端部の上方への突出を阻止できる床用目地装置を得るにある。【解決手段】一方の躯体の目地部側の床面に反目地部側が傾斜面４に形成された凹部５を先端部が覆うように支持され、他方の躯体の目地部側に固定された支持金具８に後端部が支持される目地プレート６を備える目地装置１において、支持金具８を他方の躯体の目地部側の角部を支点として目地プレートの厚さ寸法の２倍以上の寸法を半径とする円弧状の支持部１８を形成したものを用い、目地プレートの後端部の底面に固定された該目地プレートの上面と他方の躯体の上面とがほぼ同一面となるように下端部が円弧に形成された支持金具８の円弧状の支持部１８に支持される支持体７とで床用目地装置１を構成する。【選択図】  図２
2006052629.tif 000002
【特許請求の範囲】
【請求項１】
一方の躯体の目地部側の床面に反目地部側が傾斜面に形成された凹部を先端部が覆うように支持され、他方の躯体の目地部側に固定された支持金具に後端部が支持される目地プレートを備える目地装置において、前記支持金具を前記他方の躯体の目地部側の角部を支点として、前記目地プレートの厚さ寸法の２倍以上の寸法を半径とする円弧状の支持部を形成したものを用いるとともに、前記目地プレートの後端部の底面に固定された、該目地プレートの上面と前記他方の躯体の上面とがほぼ同一面となるように下端部が円弧に形成された、前記支持金具の円弧状の支持部に支持される支持体とを設けたことを特徴とする床用目地装置。
【請求項２】
一方の躯体の目地部側の床面に反目地部側が傾斜面に形成された凹部を先端部が覆うように支持され、他方の躯体の目地部側に固定された支持金具に後端部が支持される目地プレートを備える目地装置において、前記支持金具を前記他方の躯体の目地部側の角部を支点として、前記目地プレートの厚さ寸法の２倍以上の寸法を半径とする円弧状の支持部、この円弧状の支持部を前記他方の躯体の目地部側の角部を支点として、前記目地プレートの厚さ寸法の２倍以上の寸法部位に固定する、該円弧状の支持部の後端部に一体形成された固定部、前記円弧状の支持部の先端部に一体形成された、前記目地プレートの底面を支持する支持部とで構成したものを用いるとともに、前記目地プレートの後端部の底面に固定された、該目地プレートの上面と前記他方の躯体の上面とがほぼ同一面となるように下端部が円弧に形成された、前記支持金具の円弧状の支持部に支持される支持体と、前記支持金具に一端部が取付けられ、他端部が前記目地プレートの後端部寄りの底面に取付けられた、該目地プレートの脱落防止用紐とを設けたことを特徴とする床用目地装置。
【発明の詳細な説明】
【技術分野】
【０００１】
本発明は目地部が狭くなるように揺れ動くと目地プレートの先端部が床面上へ突出して、その揺れ動きを吸収することができる床用目地装置に関する。
【背景技術】
【０００２】
従来のこの種の床用目地装置は、目地プレートの後端部の底面に丸パイプ材製の回動部材を固定し、この回動部材をクランク状の支持金具で支持するとともに、目地プレートの後端部と躯体の床面との間の隙間を覆うように押えプレートを設置している。
【０００３】
このように構成された床用目地装置は、通常時には目地プレートと躯体の床面との間を覆う押えプレートが表面に位置して、走行時につまづいたり、見苦しくなるという欠点があるとともに、地震等によって目地部が狭くなり目地プレートの先端部が上方へ回動した場合、押えプレートが目地プレートの後端部を支持した状態となり、大きく先端部が突出して危険になるという欠点があった。
【特許文献１】特許第３１８９２２８
【発明の開示】
【発明が解決しようとする課題】
【０００４】
本発明は以上のような従来の欠点に鑑み、通常時には目地プレートの後端部が他方の躯体に当接し、上面がほぼ同一面となって安全に走行等ができるとともに、地震等で目地部が狭くなると目地プレートの後端部の上部を支点に回動し、さらに目地部が狭くなると目地プレートの後端部を目地プレートの重量バランスで自動的に上昇させて、目地プレートの先端部の上方への突出を阻止できる、安全で故障しずらい床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は一方の躯体の目地部側の床面に反目地部側が傾斜面に形成された凹部を先端部が覆うように支持され、他方の躯体の目地部側に固定された支持金具に後端部が支持される目地プレートを備える目地装置において、前記支持金具を前記他方の躯体の目地部側の角部を支点として、前記目地プレートの厚さ寸法の２倍以上の寸法を半径とする円弧状の支持部を形成したものを用いるとともに、前記目地プレートの後端部の底面に固定された、該目地プレートの上面と前記他方の躯体の上面とがほぼ同一面となるように下端部が円弧に形成された、前記支持金具の円弧状の支持部に支持される支持体とで床用目地装置を構成している。
【発明の効果】
【０００７】
以下の説明から明らかなように、本発明にあっては次に列挙する効果が得られる。
【０００８】
（１）一方の躯体の目地部側の床面に反目地部側が傾斜面に形成された凹部を先端部が覆うように支持され、他方の躯体の目地部側に固定された支持金具に後端部が支持される目地プレートを備える目地装置において、前記支持金具を前記他方の躯体の目地部側の角部を支点として、前記目地プレートの厚さ寸法の２倍以上の寸法を半径とする円弧状の支持部を形成したものを用いるとともに、前記目地プレートの後端部の底面に固定された、該目地プレートの上面と前記他方の躯体の上面とがほぼ同一面となるように下端部が円弧に形成された、前記支持金具の円弧状の支持部に支持される支持体とで構成されているので、目地プレートの後端部と他方の躯体の床面とがほぼ同一面で当接させた状態にできる。
したがって、従来のように押えプレートが不要で、安全に使用できるとともに、安価に設置することができる。
【０００９】
（２）前記（１）によって、目地プレートの後端部の上部を支点に先端部を上方へ回動させることができる。
したがって、目地プレートの先端部が上方へ回動する段階での後端部には隙間が生じないので安全を確保することができる、
【００１０】
（３）前記（１）によって、目地部が狭くなると目地プレートの自重により、自動的に目地プレートの後端部を上方へ移動させ、先端部を床面上に位置させることができる。
したがって、目地プレートの先端部が大きく上方へ突出して危険になるのを防止することができる。
【００１１】
（４）前記（１）によって、支持金具の円弧状の支持部を目地プレートの後端部の底面に固定された、下端部が円弧に形成された支持体で支持させているので、目地プレートの先端部の上方への回動を、該目地プレートの後端部の上部を支点にしてスムーズに行なわせることができる。
【００１２】
（５）前記（１）によって、支持金具の円弧状の支持部によって、目地プレートの後端部を常時他方の躯体の目地部側に当接するように、自動的に位置させることができる。
したがって、目地プレートの後端部と他方の躯体との間に隙間が生じるのを効率よく阻止して、安全に使用することができる。
【００１３】
（６）請求項２も前記（１）〜（５）と同様な効果が得られる。
【発明を実施するための最良の形態】
【００１４】
以下、図面に示す本発明を実施するための最良の形態により、本発明を詳細に説明する。
【００１５】
図１ないし図６に示す本発明を実施するための最良の第１の形態において、１は目地部２を介して設けられた一方の躯体３と他方の躯体３の床面とほぼ同一面で、該目地部２を覆う本発明の床用目地装置で、この床用目地装置装置１は先端部が前記一方の躯体３の目地部２側の床面に反目地部側が傾斜面４に形成された凹部５を覆い、後端部が前記他方の躯体３の目地部２側に当接するように支持される目地プレート６と、この目地プレート６の後端部の底面に後端部が該目地プレート６の後端部とほぼ同一面となるように固定された、目地プレート６の厚さ寸法Ｈの１倍以上の寸法の直径の丸棒あるいは丸パイプ材を用いた支持体７と、前記他方の躯体３の目地部側に前記支持体７をスライド移動可能に支持する、前記目地プレート６の後端部の上部と前記他方の躯体３の目地部側の上部とを支点にして目地プレート６の先端部を上方へ回動させることができる支持金具８と、この支持金具８に一端部が取付けられ、他端部が前記目地プレート６の後端部寄りの底面に取付けられた、該目地プレート６の脱落防止用のワイヤ、鎖、ロープ等の紐９とで構成されている。
【００１６】
前記目地プレート６は金属材で浅皿形状に形成された目地プレート本体１０と、この目地プレート本体１０内に充填されたモルタルやコンクリート１１と、このモルタルやコンクリート１１の上面に設置されたブロックやタイル１２と、前記目地プレート本体１０の先端上部に回動可能に取付けられたカバープレート１３とで構成されている。
【００１７】
前記支持金具８は前記他方の躯体３の目地部側に複数本のアンカーピン１４等で固定される複数個のアンカーピン挿入孔１５が形成された固定部１６と、この固定部１６の上部と一体形成された、前記他方の躯体３の目地部側の角部１７を支点として前記目地プレート６の厚さ寸法の２倍以上の寸法を半径とする円弧状の支持部１８と、この円弧状の支持部１８の先端部と一体形成された、前記目地プレート６の底面を支持する支持部１９とで構成されている。
【００１８】
上記構成の床用目地装置１は、丸棒あるいは丸パイプ材を用いた支持体７を、支持金具８の円弧状の支持部１８に支持させているので、該円弧状の支持部１８に沿って支持体７を他方の躯体３方向へスライド移動する状態となるので、目地プレート６の後端部６ａと他方の躯体３の目地部側とが当接状態を保つことができる。
【００１９】
地震等で目地部２が図４に示すように、狭くなるように一方の躯体３と他方の躯体３とが揺れ動くと、目地プレート６の後端部６ａの上部あるいは他方の躯体３の目地部側の角部１７を支点に先端部が上方へ回動する。
この時、丸棒あるいは丸パイプ材を用いた支持体７が支持金具８の円弧状の支持部１８をスライド移動するため、スムーズに移動するとともに、目地プレート６の後端部６ａの上部が他方の躯体３の角部１７と同一部位に位置して段差を生じさせない。
また、先端部はカバープレート１３によって、目地プレート６と床面との間に隙間が生じるのを阻止する。
【００２０】
さらに、目地部２が図５に示すように狭くなると、すなわち目地プレート６の重心位置が一方の躯体３の目地部側の端部に支持されている部位よりも一方の躯体３側にスライド移動すると、該部位を支点にして目地プレート６の後端部が上方へ移動して、先端部が一方の躯体３の床面に当接するように回動して、危険な状態になるのを防止する。
目地部２が広くなると、目地プレート６の先端部６ｂが図６に示すように、凹部５内をスライド移動して、ぞの動きを吸収する。
［発明を実施するための異なる形態］
【００２１】
次に、図７ないし図２１に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２２】
図７ないし図９に示す本発明を実施するための第２の形態において、前記本発明を実施するための最良の第１の形態と主に異なる点は、先端部が半円弧形状に形成された支持体７Ａを用いた点で、このように形成された支持体７Ａを用いて構成した床用目地装置１Ａにしても、前記本発明を実施するための最良の第１の形態と同様な作用効果が得られる。
【００２３】
図１０ないし図１２に示す本発明を実施するための第３の形態において、前記本発明を実施するための第２の形態と主に異なる点は、他方の躯体３側を傾斜面２０に形成した支持体７Ｂを用いた点で、このように形成された支持体７Ｂを用いて構成した床用目地装置１Ｂにしても、前記本発明を実施するための第２の形態と同様な作用効果が得られるとともに、目地プレート６の後端部が上方へ移動した後の支持金具８への戻りを他方の躯体３の角部１７と支持体７Ｂの傾斜面２０の接触で確実に行なうことができる。
【００２４】
図１３ないし図１５に示す本発明を実施するための第４の形態において、前記本発明を実施するための最良の第１の形態と主に異なる点は、目地プレート６Ａの底面の中央部より後部寄りの部位から後方が順次厚肉となるように傾斜面２１に形成するとともに、目地プレート６Ａの後部の底面に支持金具８の挿入凹部２２を形成した点で、このように構成した床用目地装置１Ｃにしても、前記本発明を実施するための最良の第１の形態と同様な作用効果が得られるとともに、目地プレート６Ａの底面の傾斜面２１によって、目地プレート６Ａの後端部の上昇をよりスムーズに行なうことができる。
【００２５】
図１６ないし図１８に示す本発明を実施するための第５の形態において、前記本発明を実施するための最良の第１の形態と主に異なる点は、目地プレート６の後端部の両端部寄りの部位の他方の躯体３に固定された上下方向のガイド筒２３、２３と、このガイド筒２３、２３に遊びを介して上下移動可能に支持されるガイドピン２４、２４と、このガイドピン２４、２４の上部に一端部が取付けられ、他端部が目地プレート６の後端部の上部に取付けられたヒンジ部材２５、２５とを用いた点で、このように構成した床用目地装置１Ｄにしても、前記本発明を実施するための最良の第１の形態と同様な作用効果が得られるとともに、ガイド筒２３、２３にガイドされるガイドピン２４、２４によって、目地プレート６が上方へ移動しても確実に元の位置へ戻すことができる。
【００２６】
図１９ないし図２１に示す本発明を実施するための第６の形態において、前記本発明を実施するための最良の第１の形態と主に異なる点は、所定間隔で複数個のガイド孔２６を形成した支持金具８Ｂと、この支持金具８Ｂの複数個のガイド孔２６に挿入されるとともに先端部に該ガイド孔２６からの抜け脱防止片２７が形成された前後方向の移動を防止する支持棒２８を支持体７に固定した点で、このように構成した床用目地装置１Ｅにしても、前記本発明を実施するための最良の第１の形態と同様な作用効果が得られるとともに、複数個のガイド孔２６に挿入される支持棒２８によって目地プレート６が前後方向に移動するのを防止することができる。
【産業上の利用可能性】
【００２７】
本発明は床用目地装置を製造する産業で利用される。
【図面の簡単な説明】
【００２８】
【図１】本発明を実施するための最良の第１の形態の平面図。
【図２】図１の２−２線に沿う断面図。
【図３】本発明を実施するための最良の第１の形態の支持金具の説明図。
【図４】本発明を実施するための最良の第１の形態の目地部が狭くなった動作説明図。
【図５】本発明を実施するための最良の第１の形態の目地部がさらに狭くなった動作説明図。
【図６】本発明を実施するための最良の第１の形態の目地部が広くなった動作説明図。
【図７】本発明を実施するための第２の形態の平面図。
【図８】図７の８−８線に沿う断面図。
【図９】本発明を実施するための第２の形態の支持体の説明図。
【図１０】本発明を実施するための第３の形態の平面図。
【図１１】図１０の１１−１１線に沿う断面図。
【図１２】本発明を実施するための第３の形態の支持体の説明図。
【図１３】本発明を実施するための第４の形態の平面図。
【図１４】図１３の１４−１４線に沿う断面図。
【図１５】本発明を実施するための第４の形態の目地部が狭くなった動作説明図。
【図１６】本発明を実施するための第５の形態の平面図。
【図１７】図１６の１７−１７線に沿う断面図。
【図１８】本発明を実施するための第５の形態の目地部が狭くなった動作説明図。
【図１９】本発明を実施するための第６の形態の平面図。
【図２０】図１９の２０−２０線に沿う断面図。
【図２１】本発明を実施するための第６の形態の目地部が狭くなった動作説明図。
【符号の説明】
【００２９】
１、１Ａ、１Ｂ、１Ｃ、１Ｄ、１Ｅ：床用目地装置、
２：目地部、                  ３：躯体、
４：傾斜面、                  ５：凹部、
６、６Ａ、６Ｂ：目地プレート、      ７、７Ａ、７Ｂ：支持体、
８：支持金具、                ９：紐、
１０：目地プレート本体、      １１：モルタルやコンクリート、
１２：ブロックやタイル、      １３：カバープレート、
１４：アンカーピン、          １５：アンカーピン挿入孔、
１６：固定部、                １７：角部、
１８：円弧状の支持部、        １９：支持部、
２０：傾斜面、                ２１：傾斜面、
２２：挿入凹部、              ２３：ガイド筒、
２４：ガイドピン、            ２５：ヒンジ部材、
２６：ガイド孔、              ２７：抜け脱防止片
２８：支持棒。
【図１】
2006052629.tif 000003
【図２】
2006052629.tif 000004
【図３】
2006052629.tif 000005
【図４】
2006052629.tif 000006
【図５】
2006052629.tif 000007
【図６】
2006052629.tif 000008
【図７】
2006052629.tif 000009
【図８】
2006052629.tif 000010
【図９】
2006052629.tif 000011
【図１０】
2006052629.tif 000012
【図１１】
2006052629.tif 000013
【図１２】
2006052629.tif 000014
【図１３】
2006052629.tif 000015
【図１４】
2006052629.tif 000016
【図１５】
2006052629.tif 000017
【図１６】
2006052629.tif 000018
【図１７】
2006052629.tif 000019
【図１８】
2006052629.tif 000020
【図１９】
2006052629.tif 000021
【図２０】
2006052629.tif 000022
【図２１】
2006052629.tif 000023